(57)【特許請求の範囲】
【請求項１】
操作手段を介して受付けた印刷設定を表示手段に表示し、前記印刷設定に従ってジョブを実行する印刷装置であって、
前記操作手段を介して所定時間操作を受け付けなかった場合に、前記表示手段にデフォルト画面を表示させる表示制御手段と、
ジョブの印刷動作を中止するための中止指示を前記操作手段を介して受付ける受付手段と、
前記受付手段により前記中止指示を受付けた場合に、前記印刷動作が中止されるジョブの印刷設定が設定された設定画面を前記表示手段に表示させ、当該印刷設定が設定された設定画面を前記操作手段を介して前記所定時間操作を受け付けなかった場合でも前記表示手段に表示させる制御手段とを有することを特徴とする印刷装置。
【請求項２】
前記制御手段は、
前記表示手段により表示される画面が、前記印刷動作が中止されるジョブの印刷設定が設定された設定画面、または、前記デフォルト画面のいずれであるかをユーザによって識別可能な状態で表示させることを特徴とする請求項１に記載の印刷装置。
【請求項３】
前記制御手段は、前記印刷動作が中止されたジョブの履歴情報に当該ジョブの印刷設定を関連付けて記憶手段に記憶させることを特徴とする請求項１又は２に記載の印刷装置。
【請求項４】
前記制御手段は、前記印刷動作が中止されたジョブの履歴情報に関連付けて当該ジョブの印刷設定及び当該ジョブの印刷データを記憶手段に記憶させることを特徴とする請求項１又は２に記載の印刷装置。
【請求項５】
前記制御手段は、前記記憶手段に記憶されるジョブの履歴情報及び当該ジョブの印刷設定を、ユーザごとに記憶させることを特徴とする請求項３又は４に記載の印刷装置。
【請求項６】
前記制御手段は、前記記憶手段に記憶された印刷設定が設定された設定画面を、前記操作手段を介したユーザからの指示によって、前記表示手段により表示させることを特徴とする請求項３乃至５のいずれか１項に記載の印刷装置。
【請求項７】
前記記憶手段に保持された印刷設定及び印刷データに従って、当該印刷データの印刷を実行する印刷制御手段をさらに有することを特徴とする請求項４に記載の印刷装置。  
【請求項８】
操作手段を介して受付けた印刷設定を表示手段に表示し、前記印刷設定に従ってジョブを実行する印刷装置の制御方法であって、
前記操作手段を介して所定時間操作を受け付けなかった場合に、前記表示手段にデフォルト画面を表示させる表示制御工程と、
ジョブの印刷動作を中止するための中止指示を前記操作手段を介して受付ける受付工程と、
前記受付工程で前記中止指示を受付けた場合に、前記印刷動作が中止されるジョブの印刷設定が設定された設定画面を表示手段に表示させ、当該印刷設定が設定された設定画面を前記操作手段を介して前記所定時間操作を受け付けなかった場合でも前記表示手段に表示させる制御工程とを有することを特徴とする印刷装置の制御方法。
【請求項９】
請求項８に記載の印刷装置の制御方法を、前記印刷装置のコンピュータに実行させるためのコンピュータプログラム。
【発明の詳細な説明】
【技術分野】
【０００１】
本発明は、ユーザからの指示に基づいて印刷ジョブの実行を中止可能な印刷装置及びその制御方法、並びに前記印刷装置の制御方法を実現するためのコンピュータプログラムに関する。
【背景技術】
【０００２】
従来、印刷システムの一例として、操作パネルやプリンタドライバを介して受付けた印刷設定に従って印刷を行うものがある。このような印刷システムを使用するにあたり、ユーザは印刷設定を行った印刷ジョブを印刷システムに投入した後に、印刷設定のミスに気が付く場合がある。このような場合、ユーザは印刷システムに投入された印刷ジョブをキャンセルした後、正しい印刷設定を改めて行い、印刷ジョブを印刷システムに投入し直す必要があった。
【０００３】
このような煩雑な操作を改善するために、印刷設定にミスがある印刷ジョブの印刷設定を、当該印刷ジョブの投入後であっても変更可能にする技術が、特許文献１に提案されている。
【特許文献１】特開平１１−０９５９４２号公報
【発明の開示】
【発明が解決しようとする課題】
【０００４】
しかしながら、上記公報の技術では次のような課題がある。
【０００５】
例えば、印刷設定がなされた状態の印刷ジョブの印刷動作を中止した場合に、ユーザは印刷動作が中止された印刷ジョブの印刷設定を柔軟に使用することができなかった。
【０００６】
本発明は上記課題に鑑み、次のような、印刷装置及びその制御方法、並びにコンピュータプログラムを提供することを目的とする。即ち、印刷設定がなされた状態の印刷動作を中止した場合に、印刷動作が中止された印刷ジョブの印刷設定をユーザからの指示に従った方法で使用可能にし、オペレーションの効率化を図る。
【課題を解決するための手段】
【０００７】
本発明は上記目的を達成するため、操作手段を介して受付けた印刷設定を表示手段に表示し、前記印刷設定に従ってジョブを実行する印刷装置であって、前記操作手段を介して所定時間操作を受け付けなかった場合に、前記表示手段にデフォルト画面を表示させる表示制御手段と、ジョブの印刷動作を中止するための中止指示を前記操作手段を介して受付ける受付手段と、前記受付手段により前記中止指示を受付けた場合に、前記印刷動作が中止されるジョブの印刷設定が設定された設定画面を前記表示手段に表示させ、当該印刷設定が設定された設定画面を前記操作手段を介して前記所定時間操作を受け付けなかった場合でも前記表示手段に表示させる制御手段とを有することを特徴とする。
【発明の効果】
【０００８】
本発明によれば、印刷設定がなされた状態の印刷動作を中止した場合に、印刷動作が中止された印刷ジョブの印刷設定を使用可能にし、オペレーションの効率化を図ることができる。
【発明を実施するための最良の形態】
【０００９】
以下、本発明の実施の形態について、図面を参照しながら説明する。
【００１０】
〈ＰＯＤシステムの全体構成〉
図１は、本発明の実施の形態に係るＰＯＤシステムの全体構成を示す模式図である。
【００１１】
このＰＯＤシステムは、印刷システム１０００、スキャナ１０２、サーバコンピュータ１０３（ＰＣ１０３）、及びクライアントコンピュータ１０４（ＰＣ１０４）を有し、それらはネットワーク１００を介して接続される。また、ＰＯＤシステムは、紙折り機１０７、断裁機１０９、中綴じ製本機１１０、くるみ製本機１０８等を有する。
【００１２】
印刷システム１０００は、印刷装置１００やシート処理装置２００といった、複数種類の装置を有する。なお、本実施形態では、印刷装置１００の例として、コピー機能及びプリンタ機能等、複数の機能を有するＭＦＰ（Ｍｕｌｔｉ  Ｆｕｎｃｔｉｏｎ  Ｐｅｒｉｐｈｅｒａｌ）で説明する。
【００１３】
ＰＣ１０３は、ネットワーク１０１に接続された各種装置のデータの送受を管理する。ＰＣ１０４は、ネットワーク１０１を介して、画像データを印刷装置１００やＰＣ１０３に送信する。また、紙折り機１０７は、印刷装置１００で印刷されたシートの折り処理を行う。くるみ製本機１０８は、印刷装置１００で印刷されたシートのくるみ製本処理を行う。断裁機１０９は、複数枚のシートからなるシート束に対して、印刷装置１００で印刷されたシートの断裁処理を行う。中綴じ製本機１１０は、印刷装置１００で印刷されたシートの中綴じ製本処理を行う。
【００１４】
紙折り機１０７、くるみ製本機１０８、断裁機１０９、中綴じ製本機１１０を利用する場合、ユーザは印刷装置１００で印刷されたシートを印刷システム１０００から取り出し、利用する装置にセットして、その装置によって処理を実行させる。
【００１５】
また、本実施の形態におけるＰＯＤシステムが有する複数の装置のうち、中綴じ製本機１１０以外の装置は、ネットワーク１０１に接続されており、互いに他装置とデータ通信可能に構成されている。
【００１６】
〈印刷装置の構成〉
次に、印刷システム１０００に含まれる印刷装置１００の構成について、図２を参照して説明する。図２は、本実施の形態に係る印刷装置１００の構成を示すブロック図である。
【００１７】
印刷装置１００は、ユーザによって実行要求がなされた印刷ジョブを実行する。また、印刷装置１００には、任意の台数のシート処理装置２００を接続することができる。印刷システム１０００は、印刷装置１００で印刷されたシートに対するシート処理を、印刷装置１００に接続されたシート処理装置２００により実行できるように構成されている。
【００１８】
シート処理装置２００は、印刷装置１００と通信可能に構成され、印刷装置１００からの指示を受け、例えば、パンチ処理、断裁処理、シフト排紙処理、折り処理等の各種のシート処理を実行することができる。
【００１９】
印刷装置１００は、スキャナ部２０１、外部Ｉ／Ｆ部２０２、プリンタ部２０３、操作部２０４、制御部２０５、ＲＯＭ２０７、ＲＡＭ２０８、ＨＤＤ（ハードディスク）２０９、及び圧縮伸張部２１０を備えている。
【００２０】
スキャナ部２０１は、原稿上の画像を読み取り、これを画像データに変換し他のユニットに転送する。外部Ｉ／Ｆ部２０２は、ネットワーク１０１に接続された他の装置との間でデータを送受する。プリンタ部２０３は、入力された画像データに基づく画像をシート上に印刷する。操作部２０４は、ハードキー入力部や、タッチパネルを有し、それらを介してユーザからの指示を受け付ける。また、操作部２０４は、操作部２０４が有するタッチパネルに各種表示を行う。
【００２１】
制御部２０５は、印刷システム１０００が有する各種ユニットの処理や印刷制御等を統括的に制御する。即ち、印刷装置１００及び印刷装置１００に接続されたシート処理装置２００の動作も制御する。ＲＯＭ２０７は、制御部２０５によって実行される各種プログラムを記憶する。例えば、ＲＯＭ２０７は、後述する図４や図１０に示すフローチャートの各種処理を実行可能にするためのプログラムや、各種設定画面を表示可能にするための表示制御プログラムを記憶する。また、ＲＯＭ２０７は、ＰＣ１０３やＰＣ１０４等から受信したＰＤＬ（ページ記述言語）コードデータを、制御部２０５が解釈し、ラスターイメージデータに展開する動作を実行するためのプログラムを記憶する。他にも、ＲＯＭ２０７は、ブートシーケンスやフォント情報等のプログラム等の各種プログラムを記憶する。
【００２２】
ＲＡＭ２０８は、スキャナ部２０１や外部Ｉ／Ｆ２０２より送られてきた画像データや、ＲＯＭ２０７に格納された各種プログラム、ユーザによって操作部２０４を介して設定された印刷設定を記憶する。またＲＡＭ２０８は、シート処理装置２００に関する情報（印刷装置１００に接続されたシート処理装置２００の台数（０からｎ台）とシート処理装置２００の機能に関する情報、また、シート処理装置２００の接続順序等）を記憶する。
【００２３】
ＨＤＤ（ハードディスク）２０９は、ハードディスクとハードディスクへのデータの読み書きを行う駆動部等で構成される。ＨＤＤ２０９は、スキャナ部２０１や外部Ｉ／Ｆ部２０２から入力され、圧縮伸張部２１０によって圧縮された画像データを記憶する大容量の記憶装置である。制御部２０５は、ユーザからの指示に基づいて、ＨＤＤ２０９に格納された画像データをプリンタ部２０３によって印刷することができる。また、制御部２０５は、ユーザからの指示に基づいて、ＨＤＤ２０９に格納された画像データを、外部Ｉ／Ｆ２０２を介してＰＣ１０３等の外部装置へ送信することもできる。また、ＨＤＤ２０９は、印刷装置１００によって過去に実行された印刷ジョブに関する情報や、当該印刷ジョブに対してなされていた印刷設定を、履歴情報として履歴記憶領域に保持しておくことができる。
【００２４】
圧縮伸張部２１０は、ＪＢＩＧやＪＰＥＧ等といった各種圧縮方式によってＲＡＭ２０８、ＨＤＤ２０９に記憶されている画像データ等の圧縮・伸張動作を行う。
【００２５】
〈操作部の構成〉
次に、印刷装置１００に備えられた操作部２０４の構成について、図３を参照しつつ説明する。図３は、印刷装置１００に具備された操作部２０４を表す図である。
【００２６】
操作部２０４は、タッチパネル部４０１とキー入力部４０２を備える。タッチパネル部４０１は、ＬＣＤ（Ｌｉｑｕｉｄ  Ｃｒｙｓｔａｌ  Ｄｉｓｐｌａｙ：液晶表示部）とその上に貼られた透明電極からなり、ユーザから指示を受け付けるための各種設定画面を表示する。このタッチパネル部４０１は、各種画面を表示する機能とユーザからの指示を受け付ける指示入力機能を兼ね備える。
【００２７】
キー入力部４０２は、電源キー５０１やスタートキー５０３、ストップキー５０２、ユーザモードキー５０５、テンキー５０６を備える。スタートキー５０３は、コピージョブや、送信ジョブを印刷装置１００に開始させる場合に用いられる。テンキー５０６は、印刷部数等の数値入力を行う場合に用いられる。
【００２８】
制御部２０５は、このタッチパネル部４０１に表示される各種画面を介して受け付けたユーザ指示やキー入力部４０２を介して受け付けたユーザ指示に基づいた各種処理を行うように印刷システム１０００を制御する。
【００２９】
なお、本形態では、印刷システム１０００に適用されるユーザインターフェース部の一例として印刷装置１００に備えられた操作部２０４を例示しているが、これ以外でも良い。例えば、ＰＣ１０３やＰＣ１０３等の外部装置に具備されるユーザインターフェース部からの指示に基づいた処理を印刷システム１０００で実行できるように構成しても構わない。
【００３０】
次に、印刷装置１００における印刷ジョブの中止時の処理について、図４〜図９等を参照して説明する。図４は、本実施の形態に係る印刷装置１００の印刷ジョブの中止時の処理を示すフローチャートであり、制御部２０５がＲＯＭ２０７からプログラムを読み出して実行する。
【００３１】
制御部２０５は、印刷装置の１００の電源が投入された場合、または、リセットキー５０４が押された場合に、Ｓ２１０１で、ＲＡＭ２０８に記憶された印刷設定に関する情報を予め定められたデフォルトの情報にする。例えば、制御部２０５は、デフォルトの情報として「印刷部数：１部、用紙サイズ：Ａ４、片面印刷」といった情報を印刷ジョブの処理条件としてＲＡＭ２０８に記憶する。そして、制御部２０５は、ＲＡＭ２０８に記憶された印刷設定を反映した図５に示す設定画面（以下、設定画面Ａと呼ぶ）をタッチパネル部４０１に表示する。なお、本実施形態ではこの設定画面Ａをデフォルトの設定画面とする。
【００３２】
次のＳ２１０２において、制御部２０５は、ユーザから操作部２０４を介して印刷設定の変更を受付ける。制御部２０５は、ユーザから受付けた印刷設定の変更に従ってＲＡＭ２０８の印刷設定を書き換える。例えば、ユーザによって両面キー６１４が押され、両面印刷するように印刷設定がなされた場合に、制御部２０５は、ＲＡＭ２０８上の情報を「印刷部数：１部、用紙サイズ：Ａ４、片面印刷」といった情報に書き換える。また、制御部２０５は、ＲＡＭ２０８に記憶された印刷設定に基づいて、ユーザから受付けた変更を反映した設定画面（以下、設定画面Ｂと呼ぶ）をタッチパネル部４０１に表示する。例えば、両面６１４の押下により両面印刷するように印刷設定がなされた場合に、制御部２０５は、タッチパネル部４０１に図６に示される設定画面を表示する。
【００３３】
なお、ユーザはデフォルトの設定画面Ａから操作部２０４を操作することで印刷設定の変更を行った設定画面Ｂを、デフォルトの設定画面として登録することも可能である。それによって、電源の投入やリセットキー５０４の押下によって、ユーザは設定画面Ｂをタッチパネル部４０１にデフォルトの設定画面として表示させることができる。
【００３４】
次にＳ２１０３において、ユーザによってスタートキー５０３が押下されると、スキャナ部２０１により原稿の読み取りを開始し、読み取った原稿から生成した画像データと、Ｓ２１０２で設定された印刷設定とを関連付けた印刷ジョブを生成する。そして、制御部２０５は、生成した印刷ジョブの印刷処理を実行する。具体的に、制御部２０５は、Ｓ２１０２で設定された印刷設定に従って、画像データの印刷動作を開始する。
【００３５】
次にＳ２１０４において、印刷ジョブの実行中にユーザによってストップキー５０２が押されたか否か判定する。制御部２０５は、ストップキー５０２が押されていないと判定するとＳ２１０３に処理を進め、印刷ジョブを実行し続ける。その後、印刷ジョブの実行が完了した場合には制御部２０５は印刷処理を終了する。
【００３６】
一方、ストップキー５０２が押されたと判定すると、制御部２０５はこれを受け付け、図４のＳ２１０５に処理を進め、実行中の印刷ジョブを中止する。また、制御部２０５は、図８に示す中止処理選択画面をタッチパネル部４０１に表示する。ユーザは、図８の中止処理選択画面に表示されるボタン２３０３、２３０４、２３０５、２３０６のいずれかを押下することで、制御部２０５にどのような中止処理を行わせるかを選択することができる。
【００３７】
以下、各ボタン２３０３、２３０４、２３０５、２３０６が押された場合のそれぞれの処理について説明する。
【００３８】
Ｉ．中止処理Ａ
まず、制御部２０５は、図８のボタン２３０３の「設定を引き継いで、ジョブを中止」が押されたと判定した場合の処理について説明する。制御部２０５は、図８に示す画面のボタン２３０３が押されたと判定した場合、ＲＡＭ２０８に格納されている印刷設定をＲＡＭ２０８に保持したまま、Ｓ２１０６で、タッチパネル部４０１に設定画面Ｂを表示する。次に、Ｓ２１０７で、制御部２０５は、設定画面Ｂの設定、及び、中止されたジョブのデータを保存するように指示されていないと判定し、Ｓ２１０９に処理を進める。そして、Ｓ２１０９で、制御部２０５は、オートクリア機能が有効に設定されているか否かを判定する。オートクリア機能とは、ユーザにより操作部２０４に対する操作が行われてから、或いは、印刷装置１００による印刷動作を終了してから、所定時間が経過しても当該操作部２０４に対する操作が行われない場合に、設定画面をデフォルト画面に戻す機能である。その際に制御部２０５は、ＲＡＭ２０８に格納された印刷設定をデフォルトの情報に戻す。Ｓ２１０９で、制御部２０５は、オートクリア機能が無効に設定されていると判定した場合にＳ２１１２に処理を進める。一方、制御部２０５は、オートクリア機能が有効に設定されていると判定した場合には、Ｓ２１１０に処理を進める。制御部２０５は、ユーザにより操作部２０４に対する操作が行われてから、或いは、印刷装置１００による印刷動作を終了してから所定時間が経過したか否かを判定する。所定時間が経過した場合にはＳ２１１１に処理を進め、制御部２０５は、設定画面Ｂを保持するように設定されているか否かを判定する。Ｓ２１１１で制御部２０５は、図８のボタン２３０３の「設定を引き継いで、ジョブを中止」が選択されているため、所定の時間が経過しても設定画面Ｂを保持するように設定がなされていると判定し、Ｓ２１１２に処理を進める。
【００３９】
Ｓ２１１２で、制御部２０５は、表示手段に表示された画面を設定画面Ｂからデフォルトの設定画面Ａに切替えることなく、ＲＡＭ２０８に記憶された印刷設定、及び、設定画面Ｂの表示を維持するように制御する。
【００４０】
その後、制御部２０５は、Ｓ２１１３で、ユーザによって操作部２０４のリセットキー５０４が押されたか否か判定する。リセットキー５０４が押されたと判定した場合に、制御部２０５は、Ｓ２１１６に処理を進め、デフォルトの設定画面Ａをタッチパネル部４０１に表示する。そして、そのタッチパネル部４０１を介してユーザから印刷設定の変更を再度受付け、スタートキー５０３が押された場合に、設定画面に表示されている印刷設定に基づいて印刷動作を開始する。
【００４１】
一方、制御部２０５は、Ｓ２１１３で、リセットキー５０４が押されていないと判定した場合に、Ｓ２１１４で設定画面ＢをタッチパネルＢに表示し続ける。その後、制御部２０５は、タッチパネル部４０１を介してユーザから設定の変更を受付け、スタートキー５０３が押された場合に、設定画面に表示されている印刷設定に基づいて印刷動作を開始する。
【００４２】
即ち、印刷ジョブの中止時に、図８のボタン２３０３の「設定を引き継いで、ジョブを中止」が押された場合に、制御部２０５は、設定画面Ｂをユーザによる操作部２０４に対する操作が所定の期間行われない場合でもデフォルト画面に戻さないように制御する。言い換えると、制御部２０５は、ボタン２３０３が押されたことに応じて表示する設定画面Ｂに対しては、所定期間が経過した場合であっても印刷装置１００のオートクリア機能を働かせないように制御する。また、設定画面Ｂを表示する際には、中止した印刷ジョブの印刷設定を反映した画面であることを一目で識別可能にするため、例えば図９の２３０７に示すような「中止ジョブ設定反映」といったメッセージを表示する。
【００４３】
このように、タッチパネル部４０１に中止した印刷ジョブの印刷設定を反映した設定画面Ｂが表示されるので、ユーザは、実行中の印刷ジョブを中止した場合であっても、中止した印刷ジョブの印刷設定を呼び出して利用することができる。それによって、例えば、ユーザは、実行中の印刷ジョブの印刷設定の一部にミスがあることに気付いた場合でも、その印刷ジョブの中止後に正しい印刷設定を一から行うのではなく、中止した印刷ジョブの印刷設定を呼び出して利用することができる。
【００４４】
II．中止処理Ｂ
次に、制御部２０５は、図８のボタン２３０４の「設定を引き継ぐ、およびメモリに現在の設定を保存してジョブを中止」が押されたと判定した場合の処理について説明する。
制御部２０５は、ボタン２３０４が押されたと判定した場合に、ＲＡＭ２０８に格納されている印刷設定をＲＡＭ２０８に保持し、また、制御部２０５はＲＡＭ２０８に格納されている印刷設定をＨＤＤ２０９の履歴情報記憶領域に記憶する。そして、Ｓ２１０６で、タッチパネル部４０１に設定画面Ｂを表示する。ＨＤＤ２０９の履歴情報記憶領域に記憶された設定に関する情報は、例えば、タッチパネル部４０１に表示されている設定画面がユーザによって変更されたり、デフォルト画面に戻されたりした後であっても記憶され続ける。そして、ユーザは特定の操作をすることによって、制御部２０５により、その情報をＲＡＭ２０８に読み出させて、設定画面に表示させることができる。なお、特定の操作については後述する。
【００４５】
次にＳ２１０７で制御部２０５は、設定画面Ｂの設定及び中止された印刷ジョブのデータを保存するように指示されていないと判定し、Ｓ２１０９に処理を進める。そして、Ｓ２１０９で、制御部２０５は、オートクリア機能が有効に設定されているか否かを判定する。Ｓ２１０９で、制御部２０５は、オートクリア機能が無効に設定されていると判定した場合にＳ２１１２に処理を進める。一方、制御部２０５は、オートクリア機能が有効に設定されていると判定した場合には、Ｓ２１１０に処理を進める。制御部２０５は、ユーザにより操作部２０４に対する操作が行われてから、或いは、印刷装置１００による印刷動作を終了してから所定の時間が経過したか否かを判定する。所定の時間が経過した場合に、Ｓ２１１１で、制御部２０５は、設定画面Ｂを保持するように設定されているか否かを判定する。Ｓ２１１１で、制御部２０５は、図８のボタン２３０４によって「設定を引き継ぐ」ように指示されているため、所定の時間が経過しても設定画面Ｂを維持するように設定がなされていると判定し、Ｓ２１１２に処理を進める。
【００４６】
Ｓ２１１２で、制御部２０５は、表示手段に表示された画面を設定画面Ｂからデフォルトの設定画面Ａに切替えることなく、ＲＡＭ２０８に記憶された印刷設定、及び、設定画面Ｂの表示を維持するように制御する。
【００４７】
その後、制御部２０５は、Ｓ２１１３で、ユーザによって操作部２０４のリセットキー５０４が押されたか否か判定する。リセットキー５０４が押されたと判定した場合に、制御部２０５は、Ｓ２１１６に処理を進め、デフォルトの設定画面Ａをタッチパネル部４０１に表示する。そして、そのタッチパネル部４０１を介してユーザから印刷設定の変更を再度受付け、スタートキー５０３が押された場合に、設定画面に表示されている印刷設定に基づいて印刷動作を開始する。
【００４８】
一方、制御部２０５は、Ｓ２１１３で、リセットキー５０４が押されていないと判定した場合に、Ｓ２１１４で設定画面ＢをタッチパネルＢに表示し続ける。その後、制御部２０５は、タッチパネル部４０１を介してユーザから設定の変更を受付け、スタートキー５０３が押された場合に、設定画面に表示されている印刷設定に基づいて印刷動作を開始する。
【００４９】
即ち、印刷ジョブの中止時に、図８のボタン２３０４の「設定を引き継ぐ、およびメモリに現在の設定を保存してジョブを中止」が選択された場合に、制御部２０５は次のように制御する。制御部２０５は設定画面Ｂを、ユーザによる操作部２０４に対する操作が行われない場合でもデフォルト画面に戻さないように制御する。言い換えると、制御部２０５は、ボタン２３０４が押されたことに応じて表示する設定画面Ｂに対しては、所定期間が経過した場合であっても、印刷装置１００のオートクリア機能を働かせないように制御する。また、設定画面Ｂを表示する際には、中止した印刷ジョブの印刷設定を反映した画面であることを一目で識別可能にするため、例えば図９の２３０７に示すような「中止ジョブ設定反映」といったメッセージを表示する。
【００５０】
このように、タッチパネル部４０１に中止した印刷ジョブの印刷設定を反映した設定画面Ｂが表示されるので、ユーザは、実行中の印刷ジョブを中止した場合であっても、中止した印刷ジョブの印刷設定を呼び出して使用することができる。それによって、例えば、ユーザは、実行中の印刷ジョブの印刷設定の一部にミスがあることに気付いた場合でも、その印刷ジョブの中止後に正しい印刷設定を一から行うのではなく、中止した印刷ジョブの印刷設定を呼び出して、少し変えるだけでよくなる。また、ＲＡＭ２０８に格納されている印刷設定をＨＤＤ２０９の履歴情報記憶領域に記憶しておくことで、例え設定画面が変更された後でも、中止した印刷ジョブの印刷設定をユーザは所望のタイミングで読み出すことができる。
【００５１】
III．中止処理Ｃ
次に、制御部２０５は、図８のボタン２３０５の「設定を引き継ぐ、およびメモリに現在の設定とジョブのデータを保存してジョブを中止」が押されたと判定した場合の処理について説明する。制御部２０５は、ボタン２３０４が押されたと判定した場合に、ＲＡＭ２０８に格納されている印刷設定をＲＡＭ２０８に保持する。そして、Ｓ２１０６で、タッチパネル部４０１に設定画面Ｂを表示する。
【００５２】
Ｓ２１０７で、制御部２０５は、設定画面Ｂの設定、及び、中止された印刷ジョブのデータを保存するように指示されていると判定し、Ｓ２１０８に処理を進める。そして、Ｓ２１０８で、制御部２０５は、ＲＡＭ２０８に格納されている印刷設定、及び、印刷ジョブのデータ（本実施形態では、Ｓ２１０２でスキャナ部２０１により読み取られた原稿から生成した画像データ）をＨＤＤ２０９の履歴情報記憶領域に記憶する。ＨＤＤ２０９の履歴情報記憶領域に記憶された設定に関する印刷設定、及び、印刷ジョブのデータは、例えば、設定画面がユーザによって変更されたり、デフォルト画面に戻されたりした後であっても記憶され続ける。そして、ユーザは特定の操作をすることによって、制御部２０５に、その情報をＲＡＭ２０８に読み出させ、設定画面に表示させることができる。なお、特定の操作については、後述する。
【００５３】
後の処理は、中止処理Ｂで行った説明と同様の処理であるため説明を省略する。
【００５４】
このように、印刷ジョブの中止時に、図８のボタン２３０５の「設定を引き継ぐ、およびメモリに現在の設定とジョブのデータを保存してジョブを中止」が選択された場合に、制御部２０５は次のように制御する。制御部２０５は設定画面Ｂを、ユーザによる操作部２０４に対する操作が所定の期間行われない場合でもデフォルト画面に戻さないように制御する。言い換えると、制御部２０５は、ボタン２３０５が押されたことに応じて表示する設定画面Ｂに対しては、所定期間が経過した場合であっても、印刷装置１００のオートクリア機能を働かせないように制御する。また、設定画面Ｂを表示する際には、中止した印刷ジョブの印刷設定を反映した画面であることを一目で認識可能にするため、例えば図９の２３０７に示すような「中止ジョブ設定反映」といったメッセージを表示する。
【００５５】
このように、タッチパネル部４０１に中止した印刷ジョブの印刷設定を反映した設定画面Ｂが表示されるので、ユーザは、実行中の印刷ジョブを中止した場合であっても、中止した印刷ジョブの印刷設定を呼び出して使用することができる。それによって、例えば、ユーザは、実行中の印刷ジョブの印刷設定の一部にミスがあることに気付いた場合でも、その印刷ジョブの中止後に正しい印刷設定を一から行うのではなく、中止した印刷ジョブの印刷設定を呼び出して、少し変えるだけでよくなる。また、ＲＡＭ２０８に格納されている印刷設定及び印刷ジョブの印刷データをＨＤＤ２０９の履歴情報記憶領域に記憶しておくことで、設定画面が変更された後でも、中止した印刷ジョブの印刷設定をユーザは所望のタイミングでそれらを読み出すことができる。
【００５６】
IV．中止処理Ｄ
次に、制御部２０５は、図８のボタン２３０５の「設定を引き継がないで、ジョブを中止」が押されたと判定した場合の処理について説明する。
【００５７】
制御部２０５は、図８に示す画面のボタン２３０３が押されたと判定した場合、ＲＡＭ２０８に格納されている印刷設定をＲＡＭ２０８に保持したまま、Ｓ２１０６で、タッチパネル部４０１に設定画面Ｂを表示する。次に、Ｓ２１０７で、制御部２０５は、設定画面Ｂの設定、及び、中止されたジョブの印刷データを保存するように指示されていないと判定し、Ｓ２１０９に処理を進める。そして、Ｓ２１０９で、制御部２０５は、オートクリア機能が有効に設定されているか否かを判定する。Ｓ２１０９で、制御部２０５は、オートクリア機能が、無効に設定されていると判定した場合にＳ２１１２に処理を進め、先に説明したＳ２１１２以降の処理を行う。一方、制御部２０５は、オートクリア機能が有効に設定されていると判定した場合には、Ｓ２１１０に処理を進める。制御部２０５は、ユーザにより操作部２０４に対する操作が行われてから、或いは、印刷装置１００による印刷動作を終了してから、所定の時間が経過したか否かを判定する。所定の時間が経過した場合には、Ｓ２１１１で、制御部２０５は、設定画面Ｂを保持するように設定されているか否かを判定する。Ｓ２１１１で、制御部２０５は、図８のボタン２３０６により「設定を引き継がない」ように指示されているため、所定の時間が経過した場合に、設定画面Ｂを保持しないように設定がなされていると判定し、Ｓ２１１６に処理を進める。Ｓ２１１６で、制御部２０５は、ＲＡＭ２０８に記憶された印刷設定をデフォルトの情報に書き換え、設定画面Ａをタッチパネル部４０１に表示する。言い換えると、制御部２０５は、所定期間が経過した場合に、印刷装置１００のオートクリア機能を働かせる。
【００５８】
そして、そのタッチパネル部４０１を介してユーザから印刷設定の変更を再度受付け、スタートキー５０３が押された場合に、Ｓ２１１７で、設定画面に表示されている印刷設定に基づいて印刷動作を開始する。
【００５９】
以上のように、ユーザは実行中の印刷ジョブに対して中止指示を行った場合に、中止された印刷ジョブの印刷設定を反映した設定画面をタッチパネル部４０１に表示させることができる。また、表示させる設定画面に対して、オートクリア機能を働かせるか否かを中止時に決めることができる。なお、Ｓ２１０５において、実行中の印刷ジョブが中止された後、図８の画面でキャンセルボタンが押された場合、制御部２０５は、Ｓ２１０６で設定画面を表示するのではなく、設定画面Ａを表示するように制御する。それによって、ユーザは、実行中の印刷ジョブの中止後に、設定画面Ａか設定画面Ｂのうち、所望の設定画面をタッチパネル部４０１に表示させることができる。また、制御部２０５は、設定画面Ａか設定画面Ｂのうち、いずれの表示画面が表示されているのかをユーザによって区別可能にタッチパネル部４０１に表示することができる。
【００６０】
なお、本実施形態では、実行中の印刷ジョブをストップキー５０２によって中止する場合を説明した。しかし、これに限らず、本発明はタッチパネル部４０１に表示されるソフトウェアキーによって中止できるように構成されていてもよい。例えば、制御部２０５は、印刷ジョブの実行中に、図７に示すジョブ状況画面をタッチパネル部４０１に表示する。そして、図７に示すジョブ状況画面における中止（設定確認）ボタン２３０２が押されることによって、図８に示す中止処理選択画面を表示させるようにしてもよい。
【００６１】
また、本実施形態では、実行中の印刷ジョブを中止する場合に、中止された印刷ジョブに対して図４に示すＳ２１０６以降の処理を行う例について説明した。しかし、これに限らず、図６の表示画面のように印刷設定がなされた状態でスタートキー５０３により印刷実行要求がなされた印刷ジョブを、印刷動作の実行開始前に中止した場合に、印刷動作を中止された印刷ジョブに対してＳ２１０６以降の処理を行ってもよい。それによって、ユーザは、印刷動作を中止した印刷ジョブの印刷設定を、印刷動作の実行開始前に印刷動作を中止した場合であっても使用することができる。
【００６２】
また、図６のように印刷設定がなされた状態で印刷実行要求がなされる前に、例えばキャンセルキー５０４により印刷動作を中止された印刷ジョブに対して、上述した図４のＳ２１０５以降の処理を行ってもよい。ただし、印刷実行要求がなされる前に印刷動作を中止される印刷ジョブについては、制御部２０５は、ユーザから中止指示を受付けても、印刷ジョブの印刷対象の印刷データはまだ入力されていない。そのため、図８に示す表示画面のうち、ボタン２３０５が押された場合には、印刷ジョブの印刷データが存在しない旨の警告を表示し、印刷データの入力を促すメッセージを表示するように制御するとよい。その後、制御部２０５は、ユーザから印刷ジョブの印刷データを、例えばスキャナ部２０１を介して受付けた場合に、受付けた印刷ジョブを図６に示す表示画面を介して設定された印刷設定画面に対応する印刷設定と関連付けてＨＤＤ２０９に格納する。それによって、ユーザは所望のタイミングで、印刷動作の実行開始前に印刷動作を中止した場合であっても、中止された印刷ジョブの印刷設定を使用することができる。また、印刷ジョブの印刷データを受付けた場合には、ユーザは、所望のタイミングで、中止された印刷ジョブの印刷設定に加えて印刷ジョブの印刷データも使用することができる。
【００６３】
以上説明したように、ユーザが、ストップキー５０２、もしくは図７の画面における中止ボタン２３０２を押下して、受付けたジョブの処理を印刷装置１００に中止させる指示をさせた場合に、制御部２０５は、次のような処理を行う。制御部２０５は中止処理Ａ、中止処理Ｂ、中止処理Ｃ、中止処理Ｄのいずれかの中止処理を行う。なお、上記中止処理Ａ〜Ｄのうち、どの中止処理を行うかを、デフォルトの中止処理として事前に設定できるようにしてもよい。それによって、実行中の印刷ジョブの中止時に、ユーザによる中止処理の選択を待たずとも中止処理を行うことができる。
【００６４】
次に、印刷装置１００でユーザが特定の操作を行うことによってＨＤＤ２０９の履歴情報記憶領域に記憶された印刷設定を読み出して使用する処理について、図１０〜図１５を参照して説明する。図１０は、本実施の形態に係る印刷装置１００の処理を示すフローチャートであり、制御部２０５が、ＲＯＭ２０７からプログラムを読み出して実行する。  
【００６５】
まず、ユーザが印刷装置１００にログインすると、制御部２０５は、図６に示す設定画面をタッチパネル部４０１に表示する。そして、図６に示す設定画面Ａの「システム状況／中止」ボタンがユーザにより押下された後、「ジョブ履歴」タブ２４０１が押下されると、制御部２０５は、Ｓ２２０１で、タッチパネル部４０１に、図１１に示すジョブ履歴画面を表示する。
【００６６】
ジョブ履歴画面には、過去に実行された印刷ジョブの履歴リスト２４０２が、制御部によって表示される。図１１に示される履歴リスト２４０２には、正常終了又は異常終了したジョブ、中止操作されたジョブに関するジョブ情報が、制御部２０５によって表示されている。
【００６７】
なお、履歴リスト２４０２に表示される、各印刷ジョブの受け付け時刻／終了時刻、ユーザ名／ホスト名／機能名、及びプリント結果などは、印刷ジョブの投入時にＨＤＤ２０９に保持される各ジョブのジョブ情報に基づいて表示される。
【００６８】
Ｓ２２０２において、制御部２０５は、履歴リスト２４０２の中止ジョブリスト中にある任意のジョブの選択を受付ける（以下、ここで選択された印刷ジョブをジョブＣと呼ぶ）。続くＳ２２０３において、制御部２０５は、ユーザによってタッチパネル部４０１に表示された図１１に示す画面のジョブ設定反映ボタン２４０３が押下されると、Ｓ２２０４に処理を進める。Ｓ２２０４で、制御部２０５は、図１４に示す画面をタッチパネル部４０１に表示する。図１４は、Ｓ２２０２でユーザによって選択された印刷ジョブの印刷設定を反映するか否かを、ユーザに選択させるための画面である。
【００６９】
そして、Ｓ２２０５で、制御部２０５は、Ｓ２２０２で選択されたジョブＣに関して、印刷設定に加えて、印刷データも保存されているか否かを判定する。印刷データが保存されていないと判定した場合には、Ｓ２２０６に処理を進める。そして、Ｓ２２０６で、制御部２０５は、図１４の画面の「保存された印刷設定と印刷データで、プリントを行う」ボタン２４０６を選択不可能な状態で表示する。そして、Ｓ２２０７に処理を進める。
【００７０】
一方、Ｓ２２０５で、制御部２０５は、印刷設定に加えて印刷データも保存されていると判定した場合には、Ｓ２２１１に処理を進める。そして、制御部２０５は、図１４の画面の「保存された印刷設定と印刷データで、プリントを行う」ボタン２４０６を選択可能な状態で表示する。
【００７１】
そして、Ｓ２２１２で、制御部２０５は、「保存された印刷設定と印刷データで、プリントを行う」ボタン２４０６が、ユーザによって押されたか否かを判定する。押されたと判定した場合には、Ｓ２２１３に処理を進め、制御部２０５は、保存された印刷設定と、印刷ジョブの印刷データに基づいて印刷を実行する。ボタン２４０６が押されていないと判定した場合には、Ｓ２２０７に処理を進める。
【００７２】
Ｓ２２０７で、制御部２０５は、図１４の、「はい」ボタン２４０４が押されたか否かを判定する。押されたと判定した場合には、Ｓ２２０８で、制御部２０５は、ＨＤＤ２０９に保存されている印刷設定を反映した図１５に示す設定画面をタッチパネル部４０１に表示する。この画面において、制御部２０５は、中止ジョブ履歴を反映させた設定画面であることが一目で識別可能な状態で、例えば「中止ジョブ設定反映」といったメッセージ２４０５を表示するとよい。ユーザはこの画面を呼び出した後、呼び出された画面をもとに印刷設定の変更を指示することもできる。例えば、印刷用紙のサイズを変更したり、印刷部数を変更したりすることができる。
【００７３】
そして、Ｓ２２０９で、制御部２０５は、スタートキー５０１が押されたか否かを判定する。スタートキー５０１が押された場合に、Ｓ２２１０に処理を進め、制御部２０５は、スキャナ部２０１に置かれた原稿を読み取って印刷データを生成し、設定画面に表示されている設定に基づいて、印刷を実行する。
【００７４】
なお、印刷装置１００が、ログインを必要とする印刷装置である場合に、制御部２０５は次のように制御してもよい。制御部２０５は、ユーザがログインしたことを条件に、当該ユーザによる印刷装置１００の利用を許可する。例えば、制御部２０５は、図１２のようなログイン画面をタッチパネル部４０１に表示し、ユーザＩＤとパスワードの入力を受付ける。制御部２０５は、入力されたユーザＩＤとパスワードに基づいてユーザを認証した後、タッチパネル部４０１にデフォルトの設定画面Ａを表示する。そして、設定画面Ａのジョブ状況／中止キーが押された後、ジョブ履歴キー２４０１が押された場合に、制御部２０５は、ログイン中のユーザを判定し、そのユーザに対応付けてＨＤＤ２０９に記憶していた履歴情報をタッチパネル部４０１に表示させる。このとき、制御部２０５は、ログイン中のユーザ以外のユーザが過去に実行した履歴情報は表示しないように制御する。
【００７５】
以上のような制御により、ユーザは、実行中の印刷ジョブを中止する際に、中止対象の印刷ジョブに対してなされていた印刷設定をＨＤＤ２０９に記憶するか否かを選択することができる。ＨＤＤ２０９に記憶するように指示された場合に、ユーザは、ＨＤＤ２０９に記憶された、中止対象の印刷ジョブに対してなされていた印刷設定を反映した画面を所望のタイミングでタッチパネル部４０１に表示させることができる。そして、ユーザは、その印刷設定が反映された画面の印刷設定に基づいて、印刷データだけを再入力すれば良いので、再設定の手間を省くことができる。
【００７６】
また、印刷ジョブを中止する際に、中止対象の印刷ジョブに対してなされていた印刷設定に加えて、印刷ジョブの画像データも、印刷設定とともにＨＤＤ２０９に保存させておくか否かを選択することができる。ＨＤＤ２０９に記憶するように指示された場合に、ユーザは、ＨＤＤ２０９に記憶された、中止対象の印刷ジョブに対してなされていた印刷設定を反映した画面を所望のタイミングでタッチパネル部４０１に表示させることができる。また、ユーザは、ＨＤＤ２０９から中止対象の印刷ジョブの画像データも読み出すことができ、その印刷ジョブに対して設定されていた印刷設定に従った印刷を実行することができる。これにより、ユーザは実行中の印刷ジョブを中止した際に、ＨＤＤ２０９に記憶された印刷設定と印刷対象となる画像データを元に印刷の再実行ができるので、再設定及び印刷対象となる画像データの再入力の必要がなく、手間が省ける。
【００７７】
なお、以上の実施形態では、印刷ジョブとしてコピージョブを例にあげ、印刷装置１００の操作部２０４から受付けた印刷設定を例にあげて説明した。しかし、本発明はこれに限らず、ホストコンピュータ（例えば、ＰＣ１０４）にて受付けた印刷ジョブの印刷設定に適用することもできる。その場合、ユーザはホストコンピュータから実行中の印刷ジョブの中止を印刷装置１００に要求し、印刷装置１００側で中止された印刷ジョブの印刷設定を印刷設定情報としてＰＣ１０４に送信する。ＰＣ１０４は、受信した印刷設定情報に基づいて、中止した印刷ジョブに対してなされた印刷設定を反映したプリンタドライバの画面やリモートＵＩの画面を、ＰＣ１０４の表示部に表示させるようにするとよい。また、ＨＤＤ９内に保存された印刷ジョブを、ユーザが所望のタイミングで読み出して実行させることができるボックスジョブに対しても上述した実施形態は適用できる。
【００７８】
また、以上の実施形態で説明した印刷装置１００では、制御部３０１が、タッチパネル部４０１に画面を表示する例を説明したが、タッチパネル部４０１が、独自に制御部と表示用メモリを備える構成にしてもよい。その場合、制御部４０１は、表示用のデータをタッチパネル部４０１が備える表示用メモリに送り、タッチパネル部４０１が備える制御部が、当該表示用メモリに記憶された表示用のデータに基づいて表示を行う。
【００７９】
また、以上の実施形態では、印刷システム１０００が印刷装置１００とシート処理装置２００から構成される場合について説明したが、これに限らず、印刷システム１０００が印刷装置１００単体からなる場合であっても、本実施形態を適用することができる。
【００８０】
また、以下に、図１６に示すメモリマップを参照して本発明に係る印刷装置１００で読み取り可能なデータ処理プログラムの構成について説明する。
【００８１】
図１６は、本発明に係る印刷装置１００で読み取り可能な各種データ処理プログラムを格納する記憶媒体のメモリマップを説明する図である。
【００８２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００８４】
本実施形態における図４、図１０に示す制御手順が外部からインストールされるプログラムによって、ホストコンピュータにより実行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００８５】
以上のように、前述した実施形態の機能を実現するソフトウエアのプログラムコードを記録したコンピュータ読取可能な記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【００８６】
この場合、記憶媒体から読み出されたプログラムコード自体が本発明の新規な機能を実現することになり、そのプログラムコードを記憶したコンピュータ読取可能な記憶媒体は本発明を構成することになる。
【００８７】
従って、プログラムの機能を有していれば、オブジェクトコード、インタプリタにより実行されるプログラム、ＯＳに供給するスクリプトデータ等、プログラムの形態を問わない。
【００８８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００８９】
この場合、記憶媒体から読出されたプログラムコード自体が前述した実施形態の機能を実現することになり、そのプログラムコードを記憶した記憶媒体は本発明を構成することになる。
【００９０】
その他、プログラムの供給方法としては、次のようなものがある。例えば、クライアントコンピュータ１０３のブラウザを用いてインターネットのホームページに接続し、該ホームページから本発明のコンピュータプログラムそのものを、ハードディスク等の記録媒体にダウンロードすることによっても供給できる。もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９１】
また、本発明のプログラムを暗号化してＣＤ−ＲＯＭ等の記憶媒体に格納してユーザに配布することもできる。そして、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することもできる。
【００９２】
また、コンピュータが読み出したプログラムコードを実行することにより、前述した実施形態の機能が実現される場合に限らない。例えば、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づいた制御を行うことも可能である。例えば、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００９４】
【図１】実施の形態に係る印刷装置を含むＰＯＤシステムの全体構成を示す模式図である。
【図２】実施の形態に係る印刷装置の構成を示すブロック図である。
【図３】印刷装置に備えられる操作部を表す図である。
【図４】本発明の実施形態に係る制御手順の例を説明するフローチャートである。
【図５】本発明の実施形態に係るタッチパネル部に表示する表示画面の例を説明する図である。
【図６】本発明の実施形態に係るタッチパネル部に表示する表示画面の例を説明する図である。
【図７】本発明の実施形態に係るタッチパネル部に表示する表示画面の例を説明する図である。
【図８】本発明の実施形態に係るタッチパネル部に表示する表示画面の例を説明する図である。
【図９】本発明の実施形態に係るタッチパネル部に表示する表示画面の例を説明する図である。
【図１０】本発明の実施形態に係る制御手順の例を説明するフローチャートである。
【図１１】本発明の実施形態に係るタッチパネル部に表示する表示画面の例を説明する図である。
【図１２】本発明の実施形態に係るタッチパネル部に表示する表示画面の例を説明する図である。
【図１３】本発明の実施形態に係るタッチパネル部に表示する表示画面の例を説明する図である。
【図１４】本発明の実施形態に係るタッチパネル部に表示する表示画面の例を説明する図である。
【図１５】本発明の実施形態に係るタッチパネル部に表示する表示画面の例を説明する図である。
【図１６】本発明の実施形態に係るプログラムコード群を説明するための図である。
【符号の説明】
【００９５】
１００  印刷装置
２０３  プリンタ部
２０４  操作部
２０５  制御部
２０８  ＲＡＭ
２０９  ＨＤＤ
４０１  タッチパネル部
４０２  キー入力部
【図１】
0005038055.tif 000002
【図２】
0005038055.tif 000003
【図３】
0005038055.tif 000004
【図４】
0005038055.tif 000005
【図５】
0005038055.tif 000006
【図６】
0005038055.tif 000007
【図７】
0005038055.tif 000008
【図８】
0005038055.tif 000009
【図９】
0005038055.tif 000010
【図１０】
0005038055.tif 000011
【図１１】
0005038055.tif 000012
【図１２】
0005038055.tif 000013
【図１３】
0005038055.tif 000014
【図１４】
0005038055.tif 000015
【図１５】
0005038055.tif 000016
【図１６】
0005038055.tif 000017